(57)【要約】【課題】複数の映像信号が複数の伝送路を介して送信される場合において表示対象ではない映像が検出された場合に消費電力を容易に抑制することが可能な技術が提供されることが望まれる。【解決手段】伝送路一本あたりの伝送容量と第１の映像信号および第２の映像信号それぞれの伝送レートに基づいて、前記第１の映像信号および前記第２の映像信号それぞれの分割数を算出する分割数算出部と、前記分割数に基づいて複数の分割信号を得る画像分割部と、前記複数の分割信号を別個に含む複数のフレームを生成するフレーム生成部と、を備える、フレーム生成装置が提供される。【選択図】図３Ａ
2017090284.tif 000002
【特許請求の範囲】
【請求項１】
伝送路一本あたりの伝送容量と第１の映像信号および第２の映像信号それぞれの伝送レートに基づいて、前記第１の映像信号および前記第２の映像信号それぞれの分割数を算出する分割数算出部と、
前記分割数に基づいて複数の分割信号を得る画像分割部と、
前記複数の分割信号を別個に含む複数のフレームを生成するフレーム生成部と、
を備える、フレーム生成装置。
【請求項２】
前記フレーム生成装置は、
前記分割信号それぞれに対して異なる伝送路を割り当てる割り当て部を備える、
請求項１に記載のフレーム生成装置。
【請求項３】
前記割り当て部は、前記分割信号それぞれに対して割り当てられた前記伝送路に繋がるレーンに対して前記分割信号を出力するよう信号出力部を制御する、
請求項２に記載のフレーム生成装置。
【請求項４】
前記割り当て部は、前記第１の映像信号から得られた分割信号を含むフレームの所定位置に第１の映像識別子を付するよう制御し、前記第２の映像信号から得られた分割信号を含むフレームの所定位置に第２の映像識別子を付するよう制御する、
請求項２に記載のフレーム生成装置。
【請求項５】
前記割り当て部は、前記第１の映像信号から得られた前記分割信号を含むフレームの所定位置に前記第１の映像信号における前記分割信号の位置を示す分割識別子を付するよう制御し、前記第２の映像信号から得られた前記分割信号を含むフレームの所定位置に前記第２の映像信号における前記分割信号の位置を示す分割識別子を付するよう制御する、
請求項２に記載のフレーム生成装置。
【請求項６】
前記分割数算出部は、前記伝送レートを前記伝送容量で除することにより除算結果を取得し、前記除算結果が超えない最小の整数を前記分割数として算出する、
請求項１に記載のフレーム生成装置。
【請求項７】
前記フレーム生成部は、前記フレームの先頭にフレーム開始識別子を付する、
請求項１に記載のフレーム生成装置。
【請求項８】
前記フレーム生成装置は、
前記分割信号をパケット化し、パケット化した前記分割信号を前記フレーム生成部に出力するパケット生成部を備える、
請求項１に記載のフレーム生成装置。
【請求項９】
伝送路一本あたりの伝送容量と第１の映像信号および第２の映像信号それぞれの伝送レートに基づいて、前記第１の映像信号および前記第２の映像信号それぞれの分割数を算出することと、
前記分割数に基づいて複数の分割信号を得ることと、
前記複数の分割信号を別個に含む複数のフレームを生成することと、
を含む、フレーム生成方法。
【請求項１０】
伝送路一本あたりの伝送容量と第１の映像信号および第２の映像信号それぞれの伝送レートとに応じた分割数に基づいて前記第１の映像信号および前記第２の映像信号が分割されて得られた複数の分割信号を別個に含む複数のフレームが受信されると、前記複数の分割信号を取得する信号取得部と、
前記分割信号に基づいて、前記第１の映像信号および第２の映像信号を復元する画像復元部と、
を備える、画像復元装置。
【請求項１１】
前記画像復元装置は、
第１の映像識別子が付された前記フレームに含まれる前記分割信号を第１の画像復元部に出力するよう信号出力部を制御し、第２の映像識別子が付された前記フレームに含まれる前記分割信号を第２の画像復元部に出力するよう前記信号出力部を制御する復元制御部を備える、
請求項１０に記載の画像復元装置。
【請求項１２】
前記復元制御部は、前記第１の映像識別子が付された前記フレームに付された分割識別子に基づいて当該フレームに含まれる前記分割信号を合成するよう前記第１の画像復元部を制御するとともに、前記第２の映像識別子が付された前記フレームに付された分割識別子に基づいて当該フレームに含まれる前記分割信号を合成するよう前記第２の画像復元部を制御する、
請求項１１に記載の画像復元装置。
【請求項１３】
前記画像復元装置は、
前記フレームそれぞれから前記第１の映像識別子または前記第２の映像識別子を抽出する識別情報抽出部を備える、
請求項１１に記載の画像復元装置。
【請求項１４】
前記識別情報抽出部は、前記フレームそれぞれの先頭に付されたフレーム開始識別子の位置に基づいて、前記フレームそれぞれから前記第１の映像識別子または前記第２の映像識別子を抽出する、
請求項１３に記載の画像復元装置。
【請求項１５】
前記画像復元装置は、
前記フレームそれぞれから分割識別子を抽出する識別情報抽出部を備える、
請求項１１に記載の画像復元装置。
【請求項１６】
前記識別情報抽出部は、前記フレームそれぞれの先頭に付されたフレーム開始識別子の位置に基づいて、前記フレームそれぞれから前記分割識別子を抽出する、
請求項１５に記載の画像復元装置。
【請求項１７】
前記画像復元装置は、
表示対象ではない映像として前記第１の映像識別子によって識別される映像が検出された場合、前記第１の映像識別子が付された前記フレームを受信する受信部の動作を停止させる動作制御部を備える、
請求項１１に記載の画像復元装置。
【請求項１８】
前記信号取得部は、
前記分割信号がパケット化された映像パケットに基づいて前記分割信号を取得する、
請求項１０に記載の画像復元装置。
【請求項１９】
伝送路一本あたりの伝送容量と第１の映像信号および第２の映像信号それぞれの伝送レートとに応じた分割数に基づいて前記第１の映像信号および前記第２の映像信号が分割されて得られた複数の分割信号を別個に含む複数のフレームが受信されると、前記複数の分割信号を取得することと、
前記分割信号に基づいて、前記第１の映像信号および第２の映像信号を復元することと、
を含む、画像復元方法。
【請求項２０】
伝送路一本あたりの伝送容量と第１の映像信号および第２の映像信号それぞれの伝送レートに基づいて、前記第１の映像信号および前記第２の映像信号それぞれの分割数を算出する分割数算出部と、
前記分割数に基づいて複数の分割信号を得る画像分割部と、
前記複数の分割信号を別個に含む複数のフレームを生成するフレーム生成部と、
を備える、送信器と、
前記複数のフレームが受信されると、前記複数の分割信号を取得する信号取得部と、
前記分割信号に基づいて、前記第１の映像信号および第２の映像信号を復元する画像復元部と、
を備える、受信器と、
を有する、画像伝送システム。
【発明の詳細な説明】
【技術分野】
【０００１】
本開示は、フレーム生成装置、フレーム生成方法、画像復元装置、画像復元方法および画像伝送システムに関する。
【背景技術】
【０００２】
近年、映像信号の情報量が飛躍的に向上しており、超高解像度ベースバンド映像信号が普及しつつある。例えば、有効画素数が７６８０×４３２０であるスーパーハイビジョン（ＳＨＶ）が推進されている。一方、１つの映像信号の情報量は、ｆｕｌｌ  ＨＤ（１９２０×１０８０）程度であるが、独立した映像信号を同時に複数本数流すようなマルチストリームおよびマルチビジョンなどが、デジタルサイネージなどで行われる場合も増えている。【０００３】
さらに、スマートフォンおよびタブレットなどといった携帯機器においても、有効画素数が３８４０×２１６０である４Ｋ映像信号を扱う場合が増えている。このように、映像信号の超高解像度化、映像信号の情報量の増加や、画角の多様化に加えて、種々の映像表示装置が増えている。映像信号の機器間伝送においては、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）およびＤｉｓｐｌａｙｐｏｒｔが一般的に使用されている（例えば、特許文献１参照。）。Ｄｉｓｐｌａｙｐｏｒｔにおいては、複数の映像信号を含んだ一つのフレームが送信器から受信器に送信される。
【先行技術文献】
【特許文献】
【０００４】
【特許文献１】特開２０１３−９０１１３号公報
【発明の概要】
【発明が解決しようとする課題】
【０００５】
しかし、複数の映像信号が複数の伝送路を介して送信される場合において表示対象ではない映像が検出された場合に消費電力を容易に抑制することが可能な技術が提供されることが望まれる。
【課題を解決するための手段】
【０００６】
本開示によれば、伝送路一本あたりの伝送容量と第１の映像信号および第２の映像信号それぞれの伝送レートに基づいて、前記第１の映像信号および前記第２の映像信号それぞれの分割数を算出する分割数算出部と、前記分割数に基づいて複数の分割信号を得る画像分割部と、前記複数の分割信号を別個に含む複数のフレームを生成するフレーム生成部と、を備える、フレーム生成装置が提供される。【０００７】
本開示によれば、伝送路一本あたりの伝送容量と第１の映像信号および第２の映像信号それぞれの伝送レートに基づいて、前記第１の映像信号および前記第２の映像信号それぞれの分割数を算出することと、前記分割数に基づいて複数の分割信号を得ることと、前記複数の分割信号を別個に含む複数のフレームを生成することと、を含む、フレーム生成方法が提供される。【０００８】
本開示によれば、伝送路一本あたりの伝送容量と第１の映像信号および第２の映像信号それぞれの伝送レートとに応じた分割数に基づいて前記第１の映像信号および前記第２の映像信号が分割されて得られた複数の分割信号を別個に含む複数のフレームが受信されると、前記複数の分割信号を取得する信号取得部と、前記分割信号に基づいて、前記第１の映像信号および第２の映像信号を復元する画像復元部と、を備える、画像復元装置が提供される。【０００９】
本開示によれば、伝送路一本あたりの伝送容量と第１の映像信号および第２の映像信号それぞれの伝送レートとに応じた分割数に基づいて前記第１の映像信号および前記第２の映像信号が分割されて得られた複数の分割信号を別個に含む複数のフレームが受信されると、前記複数の分割信号を取得することと、前記分割信号に基づいて、前記第１の映像信号および第２の映像信号を復元することと、を含む、画像復元方法が提供される。【００１０】
本開示によれば、伝送路一本あたりの伝送容量と第１の映像信号および第２の映像信号それぞれの伝送レートに基づいて、前記第１の映像信号および前記第２の映像信号それぞれの分割数を算出する分割数算出部と、前記分割数に基づいて複数の分割信号を得る画像分割部と、前記複数の分割信号を別個に含む複数のフレームを生成するフレーム生成部と、を備える、送信器と、前記複数のフレームが受信されると、前記複数の分割信号を取得する信号取得部と、前記分割信号に基づいて、前記第１の映像信号および第２の映像信号を復元する画像復元部と、を備える、受信器と、を有する、画像伝送システムが提供される。
【発明の効果】
【００１１】
以上説明したように本開示によれば、複数の映像信号が複数の伝送路を介して送信される場合において表示対象ではない映像が検出された場合に消費電力を容易に抑制することが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】一般的な複数のＨＤＭＩ機器同士の接続を示す図である。
【図２】一般的な複数のＤｉｓｐｌａｙＰｏｒｔ機器同士の接続を示す図である。
【図３Ａ】Ｄｉｓｐｌａｙｐｏｒｔにおけるマルチストリーム伝送の概略を示す図である。
【図３Ｂ】Ｄｉｓｐｌａｙｐｏｒｔにおけるマルチストリーム伝送の概略を示す図である。
【図４Ａ】本開示の一実施形態に係る画像伝送システムの構成の一例を示す図である。
【図４Ｂ】同実施形態に係る画像伝送システムの構成の一例を示す図である。
【図５】同実施形態に係る映像信号の例を示す図である。
【図６Ａ】第１の映像信号から分割されて得られる複数の分割信号の例を示す図である。
【図６Ｂ】第２の映像信号から分割されて得られる複数の分割信号の例を示す図である。
【図７】フレーム生成部によって生成されるフレームの構成例を示す図である。
【図８】分割信号を構成する各画素に対応する画素要素の例を示す図である。
【発明を実施するための形態】
【００１３】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１４】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１５】
なお、説明は以下の順序で行うものとする。
１．背景
２．画像伝送システムの構成例
２．１．送信器の構成例
２．２．受信器の構成例
３．むすび
【００１６】
（１．背景）
まず、本実施形態の背景について説明する。近年、映像信号の情報量が飛躍的に向上しており、超高解像度ベースバンド映像信号が普及しつつある。例えば、有効画素数が７６８０×４３２０であるスーパーハイビジョン（ＳＨＶ）が推進されている。一方、１つの映像信号の情報量は、ｆｕｌｌ  ＨＤ（１９２０×１０８０）程度であるが、独立した映像信号を同時に複数本数流すようなマルチストリームおよびマルチビジョンなどが、デジタルサイネージなどで行われる場合も増えている。
【００１７】
さらに、スマートフォンおよびタブレットなどといった携帯機器においても、有効画素数が３８４０×２１６０である４Ｋ映像信号を扱う場合が増えている。このように、映像信号の超高解像度化、映像信号の情報量の増加や、画角の多様化に加えて、種々の映像表示装置が増えている。映像信号の機器間伝送においては、ＨＤＭＩおよびＤｉｓｐｌａｙｐｏｒｔが一般的に使用されている（例えば、特開２０１３−９０１１３号公報参照。）。
【００１８】
図１は、一般的な複数のＨＤＭＩ機器同士の接続を示す図である。図１に示すように、Ｓｏｕｒｃｅ機器１０とＳｉｎｋ機器２０とは、ＨＤＭＩケーブル３０を介して接続されている。ＨＤＭＩケーブル３０には、チャネル群３１、ライン群３２およびライン群３３が含まれている。
【００１９】
Ｓｏｕｒｃｅ機器１０は、映像音声信号（Ｖｉｄｅｏ  Ａｕｄｉｏ１１）を生成し、生成した映像音声信号をＴＭＤＳ  ｅｎｃｏｄｅｒ１２によってＴＭＤＳ符号化し、ＴＭＤＳ符号化された映像音声信号を送信する。チャネル群３１は、Ｓｏｕｒｃｅ機器１０からＳｉｎｋ機器２０へＴＭＤＳ信号を伝送する。また、Ｓｉｎｋ機器２０は、ＴＭＤＳ符号化された映像音声信号を受信し、受信された映像音声信号をＴＭＤＳ  ｄｅｃｏｄｅｒ２１によって復号し、復号された映像音声信号をＭｏｎｉｔｏｒ  ｓｐｅａｋｅｒ２２によって再生する。
【００２０】
また、ライン群３２は、２種類の双方向制御信号であるＤＤＣおよびＣＥＣを伝送する。具体的には、Ｓｏｕｒｃｅ機器１０において、マイコン１６からＤＤＣがＤＤＣ  ｅｎｃ／ｄｅｃ１３に入力されると、ＤＤＣ  ｅｎｃ／ｄｅｃ１３によってＤＤＣが符号化され、送信される。ライン群３２は、Ｓｏｕｒｃｅ機器１０からＳｉｎｋ機器２０へＤＤＣを伝送する。Ｓｉｎｋ機器２０において、ＤＤＣがＤＤＣ  ｅｎｃ／ｄｅｃ２３によって復号され、マイコン２６に出力される。
【００２１】
一方、Ｓｉｎｋ機器２０において、マイコン２６からＤＤＣがＤＤＣ  ｅｎｃ／ｄｅｃ２３に入力されると、ＤＤＣ  ｅｎｃ／ｄｅｃ２３によってＤＤＣが符号化され、送信される。ライン群３２は、Ｓｉｎｋ機器２０からＳｏｕｒｃｅ機器１０へＤＤＣを伝送する。Ｓｏｕｒｃｅ機器１０において、ＤＤＣがＤＤＣ  ｅｎｃ／ｄｅｃ１３によって復号され、マイコン１６に出力される。
【００２２】
また、Ｓｏｕｒｃｅ機器１０において、マイコン１６からＣＥＣがＣＥＣ  ｅｎｃ／ｄｅｃ１４に入力されると、ＣＥＣ  ｅｎｃ／ｄｅｃ１４によってＣＥＣが符号化され、送信される。ライン群３２は、Ｓｏｕｒｃｅ機器１０からＳｉｎｋ機器２０へＣＥＣを伝送する。Ｓｉｎｋ機器２０において、ＣＥＣがＣＥＣ  ｅｎｃ／ｄｅｃ２４によって復号され、マイコン２６に出力される。
【００２３】
一方、Ｓｉｎｋ機器２０において、マイコン２６からＣＥＣがＣＥＣ  ｅｎｃ／ｄｅｃ２４に入力されると、ＣＥＣ  ｅｎｃ／ｄｅｃ２４によってＣＥＣが符号化され、送信される。ライン群３２は、Ｓｉｎｋ機器２０からＳｏｕｒｃｅ機器１０へＣＥＣを伝送する。Ｓｏｕｒｃｅ機器１０において、ＣＥＣがＣＥＣ  ｅｎｃ／ｄｅｃ１４によって復号され、マイコン１６に出力される。
【００２４】
さらに、ライン群３３は、機器接続を検出するための＋５ｖ信号およびＨＰＤ信号を伝送する。具体的には、ライン群３３は、Ｓｏｕｒｃｅ機器１０からＳｉｎｋ機器２０へ＋５ｖ信号（図１における＋５ｖ１５）を送信する。また、ライン群３３は、Ｓｉｎｋ機器２０からＳｏｕｒｃｅ機器１０へＨＰＤ信号（図１におけるＨＰＤ２５）を伝送する。
【００２５】
ＴＭＤＳ信号は、映像音声信号を伝送する３チャンネルと映像クロックを伝送するチャンネルとの合計４チャンネルで構成される。また、ＤＤＣは、Ｉ２Ｃと同一フォーマットでＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報などといった制御信号であり、ＣＥＣは、１チャンネルで双方向の機器間動作制御信号である。つまり、ＴＭＤＳ信号とＤＤＣおよびＣＥＣとは異なるフォーマットによってやり取りされる。
【００２６】
図２は、一般的な複数のＤｉｓｐｌａｙＰｏｒｔ機器同士の接続を示す図である。図２に示すように、Ｓｏｕｒｃｅ機器５０とＳｉｎｋ機器６０とは、ＤｉｓｐｌａｙＰｏｒｔケーブル７０を介して接続されている。ＤｉｓｐｌａｙＰｏｒｔケーブル７０には、Ｍａｉｎ  ＬＩＮＫケーブル７１およびＡＵＸケーブル７２が含まれている。
【００２７】
Ｓｏｕｒｃｅ機器５０は、映像音声信号（Ｖｉｄｅｏ  Ａｕｄｉｏ５１）を生成し、生成した映像音声信号をマイクロパケット化してＭａｉｎ  ＬＩＮＫ  Ｔｘ５２により伝送クロックレスで送信する。Ｍａｉｎ  ＬＩＮＫケーブル７１は、Ｓｏｕｒｃｅ機器５０からＳｉｎｋ機器６０へ映像音声信号を伝送する。Ｓｉｎｋ機器６０は、Ｍａｉｎ  ＬＩＮＫ  Ｒｘ６１により受信した映像音声信号から伝送クロックを再生し、マイクロパケット化された映像音声信号を復号し、復号された映像音声信号をＭｏｎｉｔｏｒ  ｓｐｅａｋｅｒに６２により再生する。
【００２８】
また、Ｓｏｕｒｃｅ機器５０において、マイコン５５からＡＵＸがＡＵＸ  Ｔｘ／Ｒｘ５３に入力されると、ＡＵＸがＡＵＸ  Ｔｘ／Ｒｘ５２によって送信される。ＡＵＸケーブル７２は、Ｓｏｕｒｃｅ機器５０からＳｉｎｋ機器６０へＡＵＸを伝送する。Ｓｉｎｋ機器６０において、ＡＵＸがＡＵＸ  Ｔｘ／Ｒｘ６３によって受信され、マイコン６５に出力される。
【００２９】
また、Ｓｉｎｋ機器６０において、マイコン６５からＡＵＸがＡＵＸ  Ｔｘ／Ｒｘ６３に入力されると、ＡＵＸがＡＵＸ  Ｔｘ／Ｒｘ６３によって送信される。ＡＵＸケーブル７２は、ＡＵＸをＳｉｎｋ機器６０からＳｏｕｒｃｅ機器５０へ伝送する。Ｓｏｕｒｃｅ機器５０において、ＡＵＸがＡＵＸ  Ｔｘ／Ｒｘに５３によって受信され、マイコン５５に出力される。
【００３０】
さらに、ＡＵＸケーブル７２は、機器接続を検出するためのＨＰＤ接続用ケーブルによって構成される。ＨＰＤ信号（ＨＰＤ６４）は、Ｓｉｎｋ機器６０から送信される。そして、ＡＵＸケーブル７２は、Ｓｉｎｋ機器６０からＳｏｕｒｃｅ機器５０へＨＰＤ信号（図１におけるＨＰＤ６４）を伝送する。Ｓｉｎｋ機器６０において、ＨＰＤ信号はＨＰＤ  Ｄｅｔ５４によって検出される。ＤｉｓｐｌａｙＰｏｒｔでは、送信器が複数の映像信号（マルチストリーム）をパケット化してＳｉｎｋ機器６０に伝送することができる。
【００３１】
図３Ａおよび図３Ｂは、Ｄｉｓｐｌａｙｐｏｒｔにおけるマルチストリーム伝送の概略を示す図である。図３Ａおよび図３Ｂに示すように、Ｄｉｓｐｌａｙｐｏｒｔにおいては、送信器８０と受信器９０とがケーブル８８を介して接続されている。ケーブル８８には、伝送路８８１−１〜８８１−４が含まれている。
【００３２】
送信器８０において、パケット生成部８２−１は、映像信号（Ｖｉｄｅｏ♯１）８１−１をＴＵ（ｔｒａｎｓｆｅｒｕｎｉｔ）と呼ばれるパケットに分割する。映像信号（Ｖｉｄｅｏ♯１）８１−１から分割されたパケット群８２１−１には、複数のパケット♯１が含まれている。同様に、パケット生成部８２−２は、映像信号（Ｖｉｄｅｏ♯２）８１−２をＴＵと呼ばれるパケットに分割する。映像信号（Ｖｉｄｅｏ♯２）８１−２から分割されたパケット群８２１−２には、複数のパケット♯２が含まれている。
【００３３】
続いて、バッファ８３−１は、パケット群８２１−１の出力タイミングを調整してからパケット群８２１−１をマルチプレクサ８４に出力する。同様に、バッファ８３−２は、パケット群８２１−２の出力タイミングを調整してからパケット群８２１−２をマルチプレクサ８４に出力する。マルチプレクサ８４は、入力されたパケット群８２１−１およびパケット群８２１−２から順次にパケットを選択して一つのストリームとしてフレーム生成部８５に出力する。
【００３４】
続いて、フレーム生成部８５は、一つのストリームをフレーム化して複数のフレーム８５１を生成する。そして、デマルチプレクサ８６は、複数のフレーム８５１それぞれを送信部８７−１〜８７−４のいずれか一つに振り分ける。送信部８７−１〜８７−４は、自身に振り分けられたフレーム８８２を、自身に接続された伝送路８８１−１〜８８１−４を介して受信器９０に送信する。
【００３５】
受信器９０において、受信部９１−１〜９１−４は、自身に接続された伝送路８８１−１〜８８１−４を介してフレームを受信する。マルチプレクサ９２は、受信部９１−１〜９１−４それぞれによって受信されたフレームを一つのフレームにまとめる。パケット抽出部９３は、一つにまとめられたフレームから映像信号（Ｖｉｄｅｏ♯１）８１−１から分割されたパケットと映像信号（Ｖｉｄｅｏ♯２）８１−２から分割されたパケットとを分離する。
【００３６】
デマルチプレクサ９４は、映像信号（Ｖｉｄｅｏ♯１）８１−１から分割されたパケットをバッファ９５−１に出力するとともに、映像信号（Ｖｉｄｅｏ♯２）８１−２から分割されたパケットをバッファ９５−２に出力する。続いて、バッファ９５−１は、映像信号（Ｖｉｄｅｏ♯１）８１−１から分割されたパケットの出力タイミングを調整してから当該パケットを信号抽出部９６−１に出力する。同様に、バッファ９５−２は、映像信号（Ｖｉｄｅｏ♯２）８１−２から分割されたパケットの出力タイミングを調整してから当該パケットを信号抽出部９６−２に出力する。
【００３７】
信号抽出部９６−１は、映像信号（Ｖｉｄｅｏ♯１）８１−１から分割されたパケットから映像信号（Ｖｉｄｅｏ♯１）８１−１を抽出する。一方、信号抽出部９６−２は、映像信号（Ｖｉｄｅｏ♯２）８１−２から分割されたパケットから映像信号（Ｖｉｄｅｏ♯２）８１−２を抽出する。以上に示したように、Ｄｉｓｐｌａｙｐｏｒｔにおいては、複数の映像信号を含んだ一つのフレームが送信器８０から受信器９０に送信される。
【００３８】
しかし、送信器８０が複数の映像信号を一つのフレームによって受信器９０に送信する手法では、複数の映像信号が含まれたフレームが受信部９１−１〜９１−４によって受信される。したがって、受信器９０において表示対象ではない映像信号があった場合でも、受信部９１−１〜９１−４、パケット抽出部９３および信号抽出部９６−１、９６−２のすべてが動作する必要が生じるため、消費電力を容易に抑制できない。
【００３９】
そこで、本明細書においては、映像信号８１−１および映像信号８１−２が伝送路８８８−１〜８８８−４を介して送信器８０から受信器９０に送信される場合において、映像信号８１−１および映像信号８１−２のいずれかが表示対象ではないことが検出された場合に、受信器９０の消費電力を容易に抑制することが可能な技術が提供されることが望まれる。なお、本明細書においては、映像信号を扱う例について主に説明するが、音声信号およびその他の種類の信号も映像信号と同様に扱われ得る。
【００４０】
以上、本実施形態の背景について説明した。
【００４１】
（２．画像伝送システムの構成例）
続いて、本実施形態に係る画像伝送システムの構成例について説明する。図４Ａおよび図４Ｂは、本実施形態に係る画像伝送システムの構成の一例を示す図である。図４Ａおよび図４Ｂに示すように、画像伝送システム１は、送信器１００と、受信器２００とを有する。送信器１００と受信器２００とは、ケーブル３００を介して接続されており、ケーブル３００には伝送路３０１−１〜３０１−４が含まれている。以下では、伝送路一本あたりの伝送容量を、ＬＣ［ｂｐｓ］と表現する。
【００４２】
なお、図４Ａに示した例では、ケーブル３００に含まれる伝送路３０１の数が４本であるが、ケーブル３００に含まれる伝送路３０１の数は複数本であれば特に限定されない。また、送信器１００は、「フレーム生成装置」として機能し得る。また、受信器２００は、「画像復元装置」として機能し得る。送信器１００は、画像生成部１０１と、画像分割部１０２−１、１０２−２と、分割数算出部１０３と、信号出力部１０４と、割り当て部１０５と、パケット生成部１０６と、フレーム生成部１０７と、送信部１０８−１〜１０８−４とを備える。
【００４３】
（２−１．送信器の構成例）
まず、送信器１００の構成について説明する。画像生成部１０１は、Ｖｉｄｅｏ（映像信号）＃１とＶｉｄｅｏ（映像信号）＃２とを生成する。以下では、映像信号＃１の伝送レートをＶＣ１［ｂｐｓ］と表現し、映像信号＃２の伝送レートをＶＣ２［ｂｐｓ］と表現する。なお、図４Ａには、画像生成部１０１が送信器１０に組み込まれている例が示されているが、画像生成部１０１は、送信器１０の外部に存在していてもよい。また、図４Ａに示した例では、画像生成部１０１が二つの映像信号を生成するが、画像生成部１０１によって生成される映像信号の数は複数であれば特に限定されない。
【００４４】
図５は、本実施形態に係る映像信号♯１の例を示す図である。図５に示すように、映像信号♯１における水平方向画素数をｎとし、映像信号♯１における垂直方向ライン数をｍとする。すなわち、映像信号♯１における水平方向の画素番号を０からｎ−１までの整数とし、映像信号♯１における垂直方向のライン番号を０からｍ−１までの整数とする。映像信号♯２は、映像信号♯１と水平方向画素数および垂直方向ライン数が同一であってもよいし、異なっていてもよい。
【００４５】
分割数算出部１０３は、伝送路の一本あたりの伝送容量ＬＣ［ｂｐｓ］と映像信号＃１の伝送レートＶＣ１［ｂｐｓ］とに基づいて、映像信号＃１の分割数Ｌ１を算出する。より詳細には、分割数算出部１０３は、ＶＣ１［ｂｐｓ］／ＬＣ［ｂｐｓ］が超えない最小の整数を分割数Ｌ１として算出すればよい。以下では、Ｌ１＝１として算出された場合を主に想定するが、Ｌ１は自然数であれば特に限定されない。例えば、分割数算出部１０３は、伝送路の一本あたりの伝送容量ＬＣ［ｂｐｓ］をあらかじめ取得してよく、映像信号＃１の伝送レートＶＣ１［ｂｐｓ］を画像生成部１０１から取得してよい。
【００４６】
また、分割数算出部１０３は、伝送路の一本あたりの伝送容量ＬＣ［ｂｐｓ］と映像信号＃２の伝送レートＶＣ２［ｂｐｓ］とに基づいて、映像信号＃２の分割数Ｌ２を算出する。より詳細には、分割数算出部１０３は、ＶＣ２［ｂｐｓ］／ＬＣ［ｂｐｓ］が超えない最小の整数を分割数Ｌ２として算出すればよい。以下では、Ｌ２＝３として算出された場合を主に想定するが、Ｌ２は自然数であれば特に限定されない。例えば、分割数算出部１０３は、映像信号＃２の伝送レートＶＣ２［ｂｐｓ］を画像生成部１０１から取得してよい。
【００４７】
図６Ａは、映像信号♯１から分割されて得られる複数の分割信号の例を示す図である。また、図６Ｂは、映像信号♯２から分割されて得られる複数の分割信号の例を示す図である。図６Ａに示すように、画像分割部１０２−１は、映像信号＃１の分割数Ｌ１に基づいて分割信号♯１−１〜♯１−Ｌ１を得る。一方、画像分割部１０２−２は、映像信号＃２の分割数Ｌ２に基づいて分割信号♯２−１〜♯２−Ｌ２を得る。なお、映像信号＃１における分割信号♯１−１〜♯１−Ｌ１の位置と、映像信号♯２における分割信号♯２−１〜♯２−Ｌ２の位置とは、特に限定されない。
【００４８】
割り当て部１０５は、分割数Ｌ１および分割数Ｌ２に基づいて、分割信号♯１−１〜♯１−Ｌ１および分割信号♯２−１〜♯２−Ｌ２それぞれに対して異なる伝送路３０１を割り当てる。例えば、割り当て部１０５は、Ｌ１＝１かつＬ２＝３である場合には、分割信号♯１−１および分割信号♯２−１〜♯２−３それぞれに対して異なる伝送路３０１を割り当てればよい。具体的には、割り当て部１０５は、分割信号♯１−１に対して伝送路３０１−１を割り当て、分割信号♯２−１に対して伝送路３０１−２を割り当て、分割信号♯２−２に対して伝送路３０１−３を割り当て、分割信号＃２−３に対して伝送路３０１−４を割り当てればよい。
【００４９】
さらに、割り当て部１０５は、分割信号♯１−１〜♯１−Ｌ１および分割信号♯２−１〜♯２−Ｌ２それぞれに対して割り当てられた伝送路３０１に繋がるレーンに対して分割信号♯１−１〜♯１−Ｌ１および分割信号♯２−１〜♯２−Ｌ２を出力するよう信号出力部１０４を制御する。例えば、Ｌ１＝１かつＬ２＝３である場合を想定する。かかる場合、割り当て部１０５は、分割信号♯１−１に対して割り当てられた伝送路３０１−１に繋がるレーンに対して分割信号♯１−１を出力するよう信号出力部１０４を制御する。
【００５０】
また、かかる場合、割り当て部１０５は、分割信号♯２−１に対して割り当てられた伝送路３０１−２に繋がるレーンに対して分割信号♯２−１を出力するよう信号出力部１０４を制御し、分割信号♯２−２に対して割り当てられた伝送路３０１−３に繋がるレーンに対して分割信号♯２−２を出力するよう信号出力部１０４を制御し、割り当て部１０５は、分割信号♯２−３に対して割り当てられた伝送路３０１−４に繋がるレーンに対して分割信号♯２−３を出力するよう信号出力部１０４を制御する。
【００５１】
信号出力部１０４は、割り当て部１０５による制御に従って、分割信号♯１−１〜♯１−Ｌ１および分割信号♯２−１〜♯２−Ｌ２に対して割り当てられた伝送路３０１に繋がるレーンに対して分割信号♯１−１〜♯１−Ｌ１および分割信号♯２−１〜♯２−Ｌ２を出力する。例えば、Ｌ１＝１かつＬ２＝３である場合を想定する。かかる場合、信号出力部１０４は、割り当て部１０５による制御に従って、分割信号♯１−１に対して割り当てられた伝送路３０１−１に繋がるレーンに対して分割信号♯１−１を出力する。
【００５２】
また、かかる場合、信号出力部１０４は、割り当て部１０５による制御に従って、分割信号♯２−１に対して割り当てられた伝送路３０１−２に繋がるレーンに対して分割信号♯２−１を出力し、分割信号♯２−２に対して割り当てられた伝送路３０１−３に繋がるレーンに対して分割信号♯２−２を出力し、分割信号♯２−３に対して割り当てられた伝送路３０１−４に繋がるレーンに対して分割信号♯２−１を出力する。
【００５３】
パケット生成部１０６は、分割信号♯１−１〜♯１−Ｌ１および分割信号♯２−１〜♯２−Ｌ２を所定のパケット単位に区切ることにより、分割信号♯１−１〜♯１−Ｌ１および分割信号♯２−１〜♯２−Ｌ２をパケット化し、フレーム生成部１０７に出力する。例えば、Ｌ１＝１かつＬ２＝３である場合、パケット生成部１０６は、分割信号♯１−１〜♯１−１および分割信号♯２−１〜♯２−３を所定のパケット単位に区切ることにより、分割信号♯１−１および分割信号♯２−１〜♯２−３をパケット化し、フレーム生成部１０７に出力する。
【００５４】
割り当て部１０５は、映像信号♯１から得られた分割信号♯１−１〜♯１−Ｌ１を含む各フレームの所定位置（図６Ａに示した例では、ＳＹＮＣの後）に映像識別子ＰＮ＝♯１（第１の映像識別子）を付するようフレーム生成部１０７を制御する。ＳＹＮＣについては、後に説明する。また、割り当て部１０５は、映像信号♯２から得られた分割信号♯２−１〜♯２−Ｌ２を含む各フレームの所定位置（図６Ｂに示した例では、ＳＹＮＣの後）に映像識別子ＰＮ＝♯２（第２の映像識別子）を付するようフレーム生成部１０７を制御する。
【００５５】
例えば、Ｌ１＝１かつＬ２＝３である場合、割り当て部１０５は、映像信号♯１から得られた分割信号♯１−１を含むフレームの所定位置に映像識別子ＰＮ＝♯１を付するようフレーム生成部１０７を制御し、映像信号♯２から得られた分割信号♯２−１〜♯２−３を含む各フレームの所定位置に映像識別子ＰＮ＝♯２を付するようフレーム生成部１０７を制御する。
【００５６】
さらに、割り当て部１０５は、映像信号♯１から得られた分割信号♯１−１〜♯１−Ｌ１を含む各フレームの所定位置（図６Ａに示した例では、映像識別子ＰＮの後）に映像信号♯１における分割信号♯１−１〜♯１−Ｌ１の位置を示す分割識別子ＬＮ＝１〜Ｌ１を付するようフレーム生成部１０７を制御する。また、割り当て部１０５は、映像信号♯２から得られた分割信号♯２−１〜♯２−Ｌ２を含む各フレームの所定位置（図６Ｂに示した例では、映像識別子ＰＮの後）に映像信号♯２における分割信号♯２−１〜♯２−Ｌ２の位置を示す分割識別子ＬＮ＝１〜Ｌ２を付するようフレーム生成部１０７を制御する。
【００５７】
例えば、Ｌ１＝１かつＬ２＝３である場合、割り当て部１０５は、映像信号♯１から得られた分割信号♯１−１を含むフレームの所定位置に映像信号♯１における分割信号♯１−１の位置を示す分割識別子ＬＮ＝１を付するようフレーム生成部１０７を制御し、映像信号♯２から得られた分割信号♯２−１〜♯２−３を含む各フレームの所定位置に映像信号♯２における分割信号♯２−１〜♯２−３の位置を示す分割識別子ＬＮ＝１〜３を付するようフレーム生成部１０７を制御する。
【００５８】
フレーム生成部１０７は、パケット生成部１０６から入力された分割信号♯１−１〜♯１−Ｌ１および分割信号♯２−１〜♯２−Ｌ２を別個に含む、（Ｌ１＋Ｌ２）個のフレームを生成する。例えば、Ｌ１＝１かつＬ２＝３である場合、フレーム生成部１０７は、パケット生成部１０６から入力された分割信号♯１−１および分割信号♯２−１〜♯２−３を別個に含む、（１＋３＝４）個のフレームを生成する。
【００５９】
このとき、フレーム生成部１０７は、割り当て部１０５による制御に従って、映像信号♯１から得られた分割信号♯１−１〜♯１−Ｌ１を含む各フレームの所定位置に映像識別子ＰＮ＝♯１を付する。また、フレーム生成部１０７は、割り当て部１０５による制御に従って、映像信号♯２から得られた分割信号♯２−１〜♯２−Ｌ２を含む各フレームの所定位置に映像識別子ＰＮ＝♯２を付する。
【００６０】
例えば、Ｌ１＝１かつＬ２＝３である場合、フレーム生成部１０７は、割り当て部１０５による制御に従って、映像信号♯１から得られた分割信号♯１−１を含むフレームの所定位置に映像識別子ＰＮ＝♯１を付し、映像信号♯２から得られた分割信号♯２−１〜♯２−３を含む各フレームの所定位置に映像識別子ＰＮ＝♯２を付する。
【００６１】
さらに、フレーム生成部１０７は、割り当て部１０５による制御に従って、映像信号♯１から得られた分割信号♯１−１〜♯１−Ｌ１を含む各フレームの所定位置に映像信号♯１における分割信号♯１−１〜♯１−Ｌ１の位置を示す分割識別子ＬＮ＝１〜Ｌ１を付する。また、フレーム生成部１０７は、割り当て部１０５による制御に従って、映像信号♯２から得られた分割信号♯２−１〜♯２−Ｌ２を含む各フレームの所定位置に映像信号♯２における分割信号♯２−１〜♯２−Ｌ２の位置を示す分割識別子ＬＮ＝１〜Ｌ２を付する。
【００６２】
例えば、Ｌ１＝１かつＬ２＝３である場合、フレーム生成部１０７は、割り当て部１０５による制御に従って、映像信号♯１から得られた分割信号♯１−１を含むフレームの所定位置に映像信号♯１における分割信号♯１−１の位置を示す分割識別子ＬＮ＝１を付し、映像信号♯２から得られた分割信号♯２−１〜♯２−３を含む各フレームの所定位置に映像信号♯２における分割信号♯２−１〜♯２−３の位置を示す分割識別子ＬＮ＝１〜３を付する。
【００６３】
ここで、分割信号♯１−１〜♯１−Ｌ１および分割信号♯２−１〜♯２−Ｌ２それぞれを含む各フレームの構成は同様であるため、分割信号♯１−１を含むフレームを例に挙げながらフレームの構成例について説明する。
【００６４】
図７は、フレーム生成部１０７によって生成されるフレームの構成例を示す図である。図７には、Ｎ番目のフレームの全体が第Ｎ（Ｎは０以上の整数）フレームとして示され、Ｎ＋１番目のフレームの一部が第Ｎ＋１フレームとして示されている。ここでは、映像信号♯１の分割数Ｌ１が１の場合を想定し（分割信号＃１−１が映像信号＃１に等しい場合を想定し）、映像信号♯１（図５）の最初のライン（映像信号♯１における第０ライン）、映像信号♯１（図５）の１番目のライン（映像信号♯１における第１ライン）およびそれらに続くラインを順に含んだフレームを生成する。
【００６５】
ここで、分割信号＃１−１を構成する各画素に対応する画素要素の種類は特に限定されない。図８は、分割信号＃１−１を構成する各画素に対応する画素要素の例を示す図である。図８に示すように、分割信号＃１−１を構成する各画素（水平方向の画素番号、垂直方向のライン番号）＝（０，０），（１，０），（２，０），・・・，（ｎ−１，ｍ−１）それぞれに対応する画素要素の種類は、ＲＧＢであってもよいし、ＹＣｂＣｒであってもよい。
【００６６】
また、図７に示すように、フレーム生成部１０７は、フレームの先頭にフレーム開始識別子（ＳＹＮＣ）を付する。フレーム開始識別子には、少なくとも映像信号には存在しない所定のコード（以下、「特殊データ」とも言う。）のいずれか一つが割り当てられている。例えば、特殊データは、伝送路３０１を送受信されるデータの符号化に依存する。例えば、伝送路３０１を送受信されるデータの符号化にＡＮＳＩ  ８ｂ／１０ｂ変換が用いられる場合、特殊データには、Ｋコードが割り当てられてよい。例えば、フレーム開始識別子には、Ｋ２８．５と呼ばれているＫコード（０ｘＢＣ）がＮバイト連続したデータが割り当てられてよい。
【００６７】
図７を参照すると、分割信号＃１−１の各ラインの後には、ブランキング区間が挿入されている。ブランキング区間には、特殊データのうち、フレーム開始識別子に割り当てられている特殊データとは異なる特殊データが割り当てられている。
【００６８】
また、フレーム生成部１０７は、フレームの所定位置に映像識別子ＰＮ＝♯１を付する。映像識別子ＰＮ＝♯１が付される位置は限定されないが、フレーム開始識別子（ＳＹＮＣ）の位置を基準とした特定の位置（例えば、フレーム開始識別子（ＳＹＮＣ）の直後など）であってよい。そうすれば、受信器９０（図４Ｂ）においてフレーム開始識別子（ＳＹＮＣ）が検出された場合、検出されたフレーム開始識別子（ＳＹＮＣ）の位置に基づいて、映像識別子ＰＮ＝♯１が検出され得る。
【００６９】
また、フレーム生成部１０７は、フレームの所定位置に分割識別子ＬＮ＝１を付する。分割識別子ＬＮ＝１が付される位置は限定されないが、フレーム開始識別子（ＳＹＮＣ）の位置を基準とした特定の位置（例えば、フレーム開始識別子（ＳＹＮＣ）の直後に存在する映像識別子ＰＮ＝♯１の直後など）であってよい。そうすれば、受信器９０（図４Ｂ）においてフレーム開始識別子（ＳＹＮＣ）が検出された場合、検出されたフレーム開始識別子（ＳＹＮＣ）の位置に基づいて、分割識別子ＬＮ＝１が検出され得る。
【００７０】
なお、フレーム生成部１０７は、フレームに対して符号化を行ってもよい。具体的には、フレーム生成部１０７は、フレームに対して８ｂ／１０ｂ符号化を行ってもよい。例えば、フレーム生成部１０７は、フレームのうち、フレーム開始識別子を対応する特殊データに置換し、ブランキング区間を対応する特殊データに置換し、これら以外のデータを１０ビット単位のデータに置換してもよい。また、フレーム生成部１０７は、符号化されたフレームを高速伝送に適した形式にすべくパラレルデータからシリアルデータに変換してもよい。
【００７１】
送信部１０８−１は、信号出力部１０４と送信部１０８−１とを繋ぐレーンから入力されたフレームを、伝送路３０１−１を介して受信器２００に送信する。上記したように、分割信号♯１−１には伝送路３０１−１が割り当てられ、送信部１０８−１には、信号出力部１０４と送信部１０８−１とを繋ぐレーンから分割信号♯１−１を含むフレームが入力されるため、送信部１０８−１は、分割信号♯１−１を含むフレームを、伝送路３０１−１を介して受信器２００に送信する。
【００７２】
送信部１０８−２は、信号出力部１０４と送信部１０８−２とを繋ぐレーンから入力されたフレームを、伝送路３０１−２を介して受信器２００に送信する。上記したように、分割信号♯２−１には伝送路３０１−２が割り当てられ、送信部１０８−２には、信号出力部１０４と送信部１０８−２とを繋ぐレーンから分割信号♯２−１を含むフレームが入力されるため、送信部１０８−２は、分割信号♯２−１を含むフレームを、伝送路３０１−２を介して受信器２００に送信する。
【００７３】
送信部１０８−３は、信号出力部１０４と送信部１０８−３とを繋ぐレーンから入力されたフレームを、伝送路３０１−３を介して受信器２００に送信する。上記したように、分割信号♯２−２には伝送路３０１−３が割り当てられ、送信部１０８−３には、信号出力部１０４と送信部１０８−３とを繋ぐレーンから分割信号♯２−２を含むフレームが入力されるため、送信部１０８−３は、分割信号♯２−２を含むフレームを、伝送路３０１−３を介して受信器２００に送信する。
【００７４】
送信部１０８−４は、信号出力部１０４と送信部１０８−４とを繋ぐレーンから入力されたフレームを、伝送路３０１−４を介して受信器２００に送信する。上記したように、分割信号♯２−３には伝送路３０１−４が割り当てられ、送信部１０８−４には、信号出力部１０４と送信部１０８−４とを繋ぐレーンから分割信号♯２−３を含むフレームが入力されるため、送信部１０８−４は、分割信号♯２−３を含むフレームを、伝送路３０１−４を介して受信器２００に送信する。
【００７５】
例えば、伝送路３０１が光ファイバによって構成されている場合、送信部１０８は、フレーム生成部１０７によって生成されたフレームを光信号に変換してから、伝送路３０１を介して受信器２００に送信する。しかし、送信器１００から伝送路３０１を介して受信器２００に送信される信号の種類は限定されない。例えば、送信部１０８は電気信号により伝送路３０１を介してフレームを受信器２００に送信してもよい。
【００７６】
（２−２．受信器の構成例）
続いて、受信器２００の構成について説明する。受信部２０８−１は、送信部１０８−１から送信されたフレームを、伝送路３０１−１を介して受信する。また、受信部２０８−２は、送信部１０８−２から送信されたフレームを、伝送路３０１−２を介して受信する。また、受信部２０８−３は、送信部１０８−３から送信されたフレームを、伝送路３０１−３を介して受信する。また、受信部２０８−４は、送信部１０８−４から送信されたフレームを、伝送路３０１−４を介して受信する。
【００７７】
例えば、伝送路３０１が光ファイバによって構成されている場合、受信部２０８は、送信器１００から光信号によって送信されたフレームを受光して電気信号に変換する。しかし、上記したように、送信器１００から伝送路３０１を介して受信器２００に送信される信号の種類は限定されない。例えば、受信部２０８は電気信号により伝送路３０１を介してフレームを送信器１００から受信してもよい。
【００７８】
識別情報抽出部２０７は、受信部２０８によって受信されたフレームから各種の識別情報を抽出する前に、受信部２０８によって受信された各フレームをシリアルデータからパラレルデータに変換し、パラレルデータに変換されたフレームを復号してもよい。具体的には、識別情報抽出部２０７は、受信部２０８によって受信された各フレームに対して８ｂ／１０ｂ復号を行ってもよい。
【００７９】
例えば、識別情報抽出部２０７は、受信部２０８によって受信された各フレームのうち、フレーム開始識別子（ＳＹＮＣ）に対応する特殊データをフレーム開始識別子（ＳＹＮＣ）に置換し、ブランキング区間に対応する特殊データをブランキング区間に置換してもよい。一方、識別情報抽出部２０７は、受信部２０８によって受信された各フレームのうち、残りのデータも８ビット単位のデータに置換してもよい。
【００８０】
続いて、識別情報抽出部２０７は、受信部２０８−１によって受信されたフレームから映像識別子ＰＮ＝♯１または映像識別子ＰＮ＝♯２を抽出する。例えば、識別情報抽出部２０７は、受信部２０８−１によって受信されたフレームの先頭に付されたフレーム開始識別子の位置に基づいて、当該フレームから映像識別子ＰＮ＝♯１または映像識別子ＰＮ＝♯２を抽出する。ここで、当該フレームには映像識別子ＰＮ＝♯１が付されているため、識別情報抽出部２０７は、当該フレームから映像識別子ＰＮ＝♯１を取得する。
【００８１】
同様にして、識別情報抽出部２０７は、受信部２０８−２によって受信されたフレームの先頭に付されたフレーム開始識別子の位置に基づいて、当該フレームから映像識別子ＰＮ＝♯１または映像識別子ＰＮ＝♯２を抽出する。ここで、当該フレームには映像識別子ＰＮ＝♯２が付されているため、識別情報抽出部２０７は、当該フレームから映像識別子ＰＮ＝♯２を取得する。
【００８２】
同様にして、識別情報抽出部２０７は、受信部２０８−３によって受信されたフレームの先頭に付されたフレーム開始識別子の位置に基づいて、当該フレームから映像識別子ＰＮ＝♯１または映像識別子ＰＮ＝♯２を抽出する。ここで、当該フレームには映像識別子ＰＮ＝♯２が付されているため、識別情報抽出部２０７は、当該フレームから映像識別子ＰＮ＝♯２を取得する。
【００８３】
同様にして、識別情報抽出部２０７は、受信部２０８−４によって受信されたフレームの先頭に付されたフレーム開始識別子の位置に基づいて、当該フレームから映像識別子ＰＮ＝♯１または映像識別子ＰＮ＝♯２を抽出する。ここで、当該フレームには映像識別子ＰＮ＝♯２が付されているため、識別情報抽出部２０７は、当該フレームから映像識別子ＰＮ＝♯２を取得する。
【００８４】
続いて、識別情報抽出部２０７は、受信部２０８−１によって受信されたフレームから分割識別子ＬＮを抽出する。例えば、識別情報抽出部２０７は、受信部２０８−１によって受信されたフレームの先頭に付されたフレーム開始識別子の位置に基づいて、当該フレームから分割識別子ＬＮを抽出する。ここで、当該フレームには分割識別子ＬＮ＝１が付されているため、識別情報抽出部２０７は、当該フレームから分割識別子ＬＮ＝１を取得する。
【００８５】
同様にして、識別情報抽出部２０７は、受信部２０８−２によって受信されたフレームから分割識別子ＬＮを抽出する。例えば、識別情報抽出部２０７は、受信部２０８−２によって受信されたフレームの先頭に付されたフレーム開始識別子の位置に基づいて、当該フレームから分割識別子ＬＮを抽出する。ここで、当該フレームには分割識別子ＬＮ＝１が付されているため、識別情報抽出部２０７は、当該フレームから分割識別子ＬＮ＝１を取得する。
【００８６】
同様にして、識別情報抽出部２０７は、受信部２０８−３によって受信されたフレームから分割識別子ＬＮを抽出する。例えば、識別情報抽出部２０７は、受信部２０８−３によって受信されたフレームの先頭に付されたフレーム開始識別子の位置に基づいて、当該フレームから分割識別子ＬＮを抽出する。ここで、当該フレームには分割識別子ＬＮ＝２が付されているため、識別情報抽出部２０７は、当該フレームから分割識別子ＬＮ＝２を取得する。
【００８７】
同様にして、識別情報抽出部２０７は、受信部２０８−４によって受信されたフレームから分割識別子ＬＮを抽出する。例えば、識別情報抽出部２０７は、受信部２０８−４によって受信されたフレームの先頭に付されたフレーム開始識別子の位置に基づいて、当該フレームから分割識別子ＬＮを抽出する。ここで、当該フレームには分割識別子ＬＮ＝２が付されているため、識別情報抽出部２０７は、当該フレームから分割識別子ＬＮ＝２を取得する。
【００８８】
また、識別情報抽出部２０７は、受信部２０８−１によって受信されたフレームからパケット化された分割信号＃１−１を抽出する。例えば、識別情報抽出部２０７は、受信部２０８−１によって受信されたフレームの先頭に付されたフレーム開始識別子の位置に基づいて、当該フレームからパケット化された分割信号＃１−１を抽出する。より具体的には、識別情報抽出部２０７は、フレーム開始識別子の位置を基準とした分割信号＃１−１の相対的な位置を把握していれば、この相対的な位置に基づいて、パケット化された分割信号＃１−１を抽出することができる。パケット化された分割信号＃１−１は、識別情報抽出部２０７によって信号取得部２０６に出力される。
【００８９】
同様に、識別情報抽出部２０７は、受信部２０８−２によって受信されたフレームからパケット化された分割信号＃２−１を抽出する。例えば、識別情報抽出部２０７は、受信部２０８−２によって受信されたフレームの先頭に付されたフレーム開始識別子の位置に基づいて、当該フレームからパケット化された分割信号＃２−１を抽出する。パケット化された分割信号＃２−１は、識別情報抽出部２０７によって信号取得部２０６に出力される。
【００９０】
同様に、識別情報抽出部２０７は、受信部２０８−３によって受信されたフレームからパケット化された分割信号＃２−２を抽出する。例えば、識別情報抽出部２０７は、受信部２０８−３によって受信されたフレームの先頭に付されたフレーム開始識別子の位置に基づいて、当該フレームからパケット化された分割信号＃２−２を抽出する。パケット化された分割信号＃２−２は、識別情報抽出部２０７によって信号取得部２０６に出力される。
【００９１】
同様に、識別情報抽出部２０７は、受信部２０８−４によって受信されたフレームからパケット化された分割信号＃２−３を抽出する。例えば、識別情報抽出部２０７は、受信部２０８−４によって受信されたフレームの先頭に付されたフレーム開始識別子の位置に基づいて、当該フレームからパケット化された分割信号＃２−３を抽出する。パケット化された分割信号＃２−３は、識別情報抽出部２０７によって信号取得部２０６に出力される。
【００９２】
信号取得部２０６は、分割信号＃１−１がパケット化された映像パケットに基づいて分割信号＃１−１を取得する。より具体的には、分割信号＃１−１に対するパケット化（パケット単位の区切り）を解除することによって分割信号＃１−１を復元する。分割信号＃１−１は、信号出力部２０４に出力される。同様に、信号取得部２０６は、分割信号＃２−１がパケット化された映像パケットに基づいて分割信号＃２−１を取得する。より具体的には、分割信号＃２−１に対するパケット化を解除することによって分割信号＃２−１を復元する。分割信号＃２−１は、信号出力部２０４に出力される。
【００９３】
同様に、信号取得部２０６は、分割信号＃２−２がパケット化された映像パケットに基づいて分割信号＃２−２を取得する。より具体的には、分割信号＃２−２に対するパケット化を解除することによって分割信号＃２−２を復元する。分割信号＃２−２は、信号出力部２０４に出力される。同様に、信号取得部２０６は、分割信号＃２−３がパケット化された映像パケットに基づいて分割信号＃２−３を取得する。より具体的には、分割信号＃２−３に対するパケット化を解除することによって分割信号＃２−３を復元する。分割信号＃２−３は、信号出力部２０４に出力される。
【００９４】
復元制御部２０３は、映像識別子ＰＮ＝＃１が付されたフレームに含まれる分割信号＃１−１を画像復元部２０２−１に出力するよう信号出力部２０４を制御する。また、復元制御部２０３は、映像識別子ＰＮ＝＃２が付されたフレームに含まれる分割信号＃２−１〜＃２−３を画像復元部２０２−２に出力するよう信号出力部２０４を制御する。信号出力部２０４は、復元制御部２０３による制御に従って、映像識別子ＰＮ＝＃１が付されたフレームに含まれる分割信号＃１−１を画像復元部２０２−１に出力する。また、信号出力部２０４は、復元制御部２０３による制御に従って、映像識別子ＰＮ＝＃２が付されたフレームに含まれる分割信号＃２−１〜＃２−３を画像復元部２０２−２に出力する。
【００９５】
また、復元制御部２０３は、映像識別子＃１が付されたフレームに付された分割識別子ＬＮに基づいて当該フレームに含まれる分割信号＃１−１を合成するよう画像復元部２０２−１を制御する（分割信号＃１−１をそのまま映像信号＃１とする）。また、復元制御部２０３は、映像識別子＃２が付されたフレームに付された分割識別子ＬＮに基づいて当該フレームに含まれる分割信号＃２−１〜＃２−３を合成するよう画像復元部２０３を制御する。
【００９６】
画像復元部２０２−１は、分割信号＃１−１に基づいて映像信号＃１を復元し、画像復元部２０２−２は、分割信号＃２−１〜＃２−３に基づいて、映像信号＃２を復元する。具体的には、画像復元部２０２−１は、復元制御部２０３による制御に従って、映像識別子＃１が付されたフレームに付された分割識別子ＬＮに基づいて当該フレームに含まれる分割信号＃１−１を合成する（分割信号＃１−１をそのまま映像信号＃１とする）。一方、画像復元部２０２−２は、映像識別子＃２が付されたフレームに付された分割識別子ＬＮに基づいて当該フレームに含まれる分割信号＃２−１〜＃２−３を合成する。
【００９７】
画像表示部２０１は、映像信号＃１に基づいて映像の表示を行うとともに、映像信号＃２に基づいて映像の表示を行う。具体的には、画像表示部２０１は、映像信号＃１を再生して映像を表示するとともに、映像信号＃２を再生して映像を表示する。例えば、画像表示部２０１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイおよびプロジェクタなどの表示装置などであり得る。なお、図４Ｂには、画像表示部２０１が受信器２００に組み込まれている例が示されているが、画像表示部２０１は、受信器２００の外部に存在していてもよい。
【００９８】
動作制御部２０５は、表示対象ではない映像として映像識別子ＰＮ＝♯１（第１の映像識別子）によって識別される映像♯１が検出された場合、映像識別子ＰＮ＝♯１が付されたフレームを受信する受信部２０８−１の動作を停止させる。同様に、動作制御部２０５は、表示対象ではない映像の識別子として映像識別子ＰＮ＝♯２（第２の映像識別子）が検出された場合、映像識別子ＰＮ＝♯２が付されたフレームを受信する受信部２０８−２〜２０８−４の動作を停止させる。
【００９９】
動作制御部２０５が有するかかる機能により、表示対象ではない映像が存在した場合、その映像の受信動作を停止させることによって、受信動作による消費電力を抑制することが可能となる。なお、表示対象ではない映像は、受信器２００を使用するユーザ操作によって指定されてよいし、受信器２００によって実行されているプログラムによって自動的に指定されてもよい。
【０１００】
（３．むすび）
以上説明したように、本開示の実施形態によれば、伝送路３０１−１〜３０１−４の一本あたりの伝送容量と映像信号＃１および映像信号＃２それぞれの伝送レートに基づいて、映像信号＃１および映像信号＃２それぞれの分割数を算出する分割数算出部１０３と、分割数に基づいて複数の分割信号を得る画像分割部１０２−１、１０２−２と、複数の分割信号を別個に含む複数のフレームを生成するフレーム生成部１０７と、を備える、フレーム生成装置１００が提供される。
【０１０１】
かかる構成によれば、映像信号＃１および映像信号＃２が伝送路３０１−１〜３０１−４を介して送信される場合において表示対象ではない映像が検出された場合に消費電力を容易に抑制することが可能となる。例えば、表示対象ではない映像として映像識別子ＰＮ＝＃１によって識別される映像が検出された場合、映像識別子ＰＮ＝＃１が付されたフレームを受信する受信部２０８−１の動作を停止させれば、受信部２０８−１の消費電力が抑制される。
【０１０２】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１０３】
また、例えば、上記においては、パケット生成部１０６およびフレーム生成部１０７を送信部１０８−１〜１０８−４のすべてに対して共通化したが、パケット生成部１０６およびフレーム生成部１０７を送信部１０８−１〜１０８−４それぞれに対して個別に設けてもよい。
【０１０４】
同様に、上記においては、識別情報抽出部２０７および信号取得部２０６を受信部２０８−１〜２０８−４のすべてに対して共通化したが、識別情報抽出部２０７および信号取得部２０６を受信部２０８−１〜２０８−４それぞれに対して個別に設けてもよい。
【０１０５】
かかる場合、動作制御部２０５は、表示対象ではない映像として映像識別子ＰＮ＝♯１（第１の映像識別子）によって識別される映像♯１が検出された場合、映像識別子ＰＮ＝♯１が付されたフレームを受信する受信部２０８−１に対応するパケット生成部１０６およびフレーム生成部１０７の動作を停止させることも可能である。
【０１０６】
同様に、動作制御部２０５は、表示対象ではない映像として映像識別子ＰＮ＝♯２（第２の映像識別子）によって識別される映像＃２が検出された場合、映像識別子ＰＮ＝♯２が付されたフレームを受信する受信部２０８−２〜２０８−４に対応するパケット生成部１０６およびフレーム生成部１０７の動作を停止させることも可能である。
【０１０７】
また、受信器２００は、フレームが伝送されない伝送路３０１を把握するようにしてもよい。例えば、フレームが伝送されない伝送路３０１は、事前に送信器１００から受信器２００に通知されてもよい。あるいは、受信器２００は、意味のある内容が記述されたフレームを受信しない受信部２０８に接続された伝送路３０１をフレームが伝送されない伝送路３０１として把握してもよい。
【０１０８】
このとき、動作制御部２０５は、フレームが伝送されない伝送路３０１に接続された受信部２０８の動作を停止させてもよい。また、上記のように、識別情報抽出部２０７および信号取得部２０６が受信部２０８−１〜２０８−４それぞれに対して個別に設けられている場合も想定される。かかる場合、動作制御部２０５は、フレームが伝送されない伝送路３０１に対応するパケット生成部１０６およびフレーム生成部１０７の動作を停止させることも可能である。
【０１０９】
また、例えば、画像生成部１０１、画像分割部１０２、分割数算出部１０３、割り当て部１０５、パケット生成部１０６およびフレーム生成部１０７は、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、識別情報抽出部２０７、信号取得部２０６、動作制御部２０５、復元制御部２０３および画像復元部２０２は、別個のＩＣに実装されてもよいし、いずれかの組み合わせが同一のＩＣに実装されてもよい。
【０１１０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【０１１１】
なお、以下のような構成も本開示の技術的範囲に属する。
（１）
伝送路一本あたりの伝送容量と第１の映像信号および第２の映像信号それぞれの伝送レートに基づいて、前記第１の映像信号および前記第２の映像信号それぞれの分割数を算出する分割数算出部と、
前記分割数に基づいて複数の分割信号を得る画像分割部と、
前記複数の分割信号を別個に含む複数のフレームを生成するフレーム生成部と、
を備える、フレーム生成装置。
（２）
前記フレーム生成装置は、
前記分割信号それぞれに対して異なる伝送路を割り当てる割り当て部を備える、
前記（１）に記載のフレーム生成装置。
（３）
前記割り当て部は、前記分割信号それぞれに対して割り当てられた前記伝送路に繋がるレーンに対して前記分割信号を出力するよう信号出力部を制御する、
前記（２）に記載のフレーム生成装置。
（４）
前記割り当て部は、前記第１の映像信号から得られた分割信号を含むフレームの所定位置に第１の映像識別子を付するよう制御し、前記第２の映像信号から得られた分割信号を含むフレームの所定位置に第２の映像識別子を付するよう制御する、
前記（２）または（３）に記載のフレーム生成装置。
（５）
前記割り当て部は、前記第１の映像信号から得られた前記分割信号を含むフレームの所定位置に前記第１の映像信号における前記分割信号の位置を示す分割識別子を付するよう制御し、前記第２の映像信号から得られた前記分割信号を含むフレームの所定位置に前記第２の映像信号における前記分割信号の位置を示す分割識別子を付するよう制御する、
前記（２）〜（４）のいずれか一項に記載のフレーム生成装置。
（６）
前記分割数算出部は、前記伝送レートを前記伝送容量で除することにより除算結果を取得し、前記除算結果が超えない最小の整数を前記分割数として算出する、
前記（１）〜（５）のいずれか一項に記載のフレーム生成装置。
（７）
前記フレーム生成部は、前記フレームの先頭にフレーム開始識別子を付する、
前記（１）〜（６）のいずれか一項に記載のフレーム生成装置。
（８）
前記フレーム生成装置は、
前記分割信号をパケット化し、パケット化した前記分割信号を前記フレーム生成部に出力するパケット生成部を備える、
前記（１）〜（７）のいずれか一項に記載のフレーム生成装置。
（９）
伝送路一本あたりの伝送容量と第１の映像信号および第２の映像信号それぞれの伝送レートに基づいて、前記第１の映像信号および前記第２の映像信号それぞれの分割数を算出することと、
前記分割数に基づいて複数の分割信号を得ることと、
前記複数の分割信号を別個に含む複数のフレームを生成することと、
を含む、フレーム生成方法。
（１０）
伝送路一本あたりの伝送容量と第１の映像信号および第２の映像信号それぞれの伝送レートとに応じた分割数に基づいて前記第１の映像信号および前記第２の映像信号が分割されて得られた複数の分割信号を別個に含む複数のフレームが受信されると、前記複数の分割信号を取得する信号取得部と、
前記分割信号に基づいて、前記第１の映像信号および第２の映像信号を復元する画像復元部と、
を備える、画像復元装置。
（１１）
前記画像復元装置は、
第１の映像識別子が付された前記フレームに含まれる前記分割信号を第１の画像復元部に出力するよう信号出力部を制御し、第２の映像識別子が付された前記フレームに含まれる前記分割信号を第２の画像復元部に出力するよう前記信号出力部を制御する復元制御部を備える、
前記（１０）に記載の画像復元装置。
（１２）
前記復元制御部は、前記第１の映像識別子が付された前記フレームに付された分割識別子に基づいて当該フレームに含まれる前記分割信号を合成するよう前記第１の画像復元部を制御するとともに、前記第２の映像識別子が付された前記フレームに付された分割識別子に基づいて当該フレームに含まれる前記分割信号を合成するよう前記第２の画像復元部を制御する、
前記（１１）に記載の画像復元装置。
（１３）
前記画像復元装置は、
前記フレームそれぞれから前記第１の映像識別子または前記第２の映像識別子を抽出する識別情報抽出部を備える、
前記（１１）または（１２）に記載の画像復元装置。
（１４）
前記識別情報抽出部は、前記フレームそれぞれの先頭に付されたフレーム開始識別子の位置に基づいて、前記フレームそれぞれから前記第１の映像識別子または前記第２の映像識別子を抽出する、
前記（１３）に記載の画像復元装置。
（１５）
前記画像復元装置は、
前記フレームそれぞれから分割識別子を抽出する識別情報抽出部を備える、
前記（１１）または（１２）に記載の画像復元装置。
（１６）
前記識別情報抽出部は、前記フレームそれぞれの先頭に付されたフレーム開始識別子の位置に基づいて、前記フレームそれぞれから前記分割識別子を抽出する、
前記（１５）に記載の画像復元装置。
（１７）
前記画像復元装置は、
表示対象ではない映像として前記第１の映像識別子によって識別される映像が検出された場合、前記第１の映像識別子が付された前記フレームを受信する受信部の動作を停止させる動作制御部を備える、
前記（１１）〜（１６）のいずれか一項に記載のフレーム生成装置。
（１８）
前記信号取得部は、
前記分割信号がパケット化された映像パケットに基づいて前記分割信号を取得する、
前記（１０）〜（１７）のいずれか一項に記載のフレーム生成装置。
（１９）
伝送路一本あたりの伝送容量と第１の映像信号および第２の映像信号それぞれの伝送レートとに応じた分割数に基づいて前記第１の映像信号および前記第２の映像信号が分割されて得られた複数の分割信号を別個に含む複数のフレームが受信されると、前記複数の分割信号を取得することと、
前記分割信号に基づいて、前記第１の映像信号および第２の映像信号を復元することと、
を含む、画像復元方法。
（２０）
伝送路一本あたりの伝送容量と第１の映像信号および第２の映像信号それぞれの伝送レートに基づいて、前記第１の映像信号および前記第２の映像信号それぞれの分割数を算出する分割数算出部と、
前記分割数に基づいて複数の分割信号を得る画像分割部と、
前記複数の分割信号を別個に含む複数のフレームを生成するフレーム生成部と、
を備える、送信器と、
前記複数のフレームが受信されると、前記複数の分割信号を取得する信号取得部と、
前記分割信号に基づいて、前記第１の映像信号および第２の映像信号を復元する画像復元部と、
を備える、受信器と、
を有する、画像伝送システム。
【符号の説明】
【０１１２】
１      画像伝送システム
１００  送信器（フレーム生成装置）
１０１  画像生成部
１０２  画像分割部
１０３  分割数算出部
１０４  信号出力部
１０５  割り当て部
１０６  パケット生成部
１０７  フレーム生成部
１０８  送信部
２００  受信器
２０１  画像表示部
２０２  画像復元部
２０３  復元制御部
２０４  信号出力部
２０５  動作制御部
２０６  信号取得部
２０７  識別情報抽出部
２０８  受信部
３００  ケーブル
３０１  伝送路
ＬＮ    分割識別子
ＰＮ    映像識別子
【図１】
2017090284.tif 000003
【図２】
2017090284.tif 000004
【図３Ａ】
2017090284.tif 000005
【図３Ｂ】
2017090284.tif 000006
【図４Ａ】
2017090284.tif 000007
【図４Ｂ】
2017090284.tif 000008
【図５】
2017090284.tif 000009
【図６Ａ】
2017090284.tif 000010
【図６Ｂ】
2017090284.tif 000011
【図７】
2017090284.tif 000012
【図８】
2017090284.tif 000013
【国際調査報告】
2017090284.tif 000014
2017090284.tif 000015